【手続補正書】
【提出日】平成19年9月24日(2007.9.24)
【手続補正１】
【補正対象書類名】明細書
【補正対象項目名】発明の名称
【補正方法】変更
【補正の内容】
【発明の名称】発光装置及びその作製方法
【手続補正２】
【補正対象書類名】特許請求の範囲
【補正対象項目名】全文
【補正方法】変更
【補正の内容】
【特許請求の範囲】
【請求項１】
第１色の素子形成領域、第２色の素子形成領域、及び第３色の素子形成領域をそれぞれ斜めに配列し、
３以上の前記素子形成領域を一画素で共有し、
前記一画素は異なる素子形成領域から選ばれた前記第１色の同色領域、前記第２色の同色領域、又は前記第３色の同色領域を有する
ことを特徴とする発光装置。
【請求項２】
請求項１において、
前記一画素は、非発光領域を有することを特徴とする発光装置。
【請求項３】
第１色の素子形成領域、第２色の素子形成領域、及び第３色の素子形成領域をそれぞれ斜めに配列し、
３以上の前記素子形成領域を一画素で共有し、
前記一画素は異なる素子形成領域から選ばれた前記第１色の同色領域、前記第２色の同色領域、又は前記第３色の同色領域を有する発光装置であって、
隣接する前記同色領域間及び隣接する前記素子形成領域間には絶縁膜が設けられている
ことを特徴とする発光装置。
【請求項４】
第１色の素子形成領域、第２色の素子形成領域、及び第３色の素子形成領域をそれぞれ斜めに配列し、
３以上の前記素子形成領域を一画素で共有し、
前記一画素は異なる素子形成領域から選ばれた前記第１色の同色領域、前記第２色の同色領域、又は前記第３色の同色領域を有する発光装置であって、
隣接する前記同色領域間に設けられた第１の絶縁膜の幅は、
隣接する前記素子形成領域間に設けられた第２の絶縁膜の幅より狭い
ことを特徴とする発光装置。
【請求項５】
請求項４において、
列方向におい隣接する前記同色領域間に設けられた第１の絶縁膜の幅は、
隣接する前記素子形成領域間に設けられた第２の絶縁膜の幅より狭い
ことを特徴とする発光装置。
【請求項６】
請求項４又は５において、
行方向に隣接する前記同色領域間に設けられた第１の絶縁膜の幅は、
隣接する前記素子形成領域間に設けられた第２の絶縁膜の幅より狭い
ことを特徴とする発光装置。
【請求項７】
第１色の素子形成領域と、
前記第１色の素子形成領域に隣接し、同列に設けられた第２色の素子形成領域と、
前記第２色の素子形成領域に隣接し、同列に設けられた第３色の素子形成領域とを有し、
前記第１色の素子形成領域、前記第２色の素子形成領域、及び前記第３色の素子形成領域は行方向に素子形成領域の１間隔分ずれるように配列され、
一画素は、前記第１色の素子形成領域、前記第２色の素子形成領域、及び前記第３色の素子形成領域のから選ばれた前記第１色の同色領域、前記第２色の同色領域、及び前記第３色の同色領域を有する
ことを特徴とする発光装置。
【請求項８】
請求項１乃至７のいずれか一において、
前記一画素は、Ｌ字状に配列された前記第１色の同色領域、前記第２色の同色領域、及び前記第３色の同色領域を有する
ことを特徴とする発光装置。
【請求項９】
請求項１乃至７のいずれか一において、
前記一画素は、第１色の同色領域に対して、行方向に第２色の同色領域が配列し、且つ列方向に第３色の同色領域が配列するようにＬ字状に配列された同色領域を有する
ことを特徴とする発光装置。
【請求項１０】
第１色の素子形成領域と、
前記第１色の素子形成領域に隣接し、同行に設けられた第２色の素子形成領域と、
前記第２色の素子形成領域に隣接し、同行に設けられた第３色の素子形成領域とを有し、
前記第１色の素子形成領域、前記第２色の素子形成領域、及び前記第３色の素子形成領域は列方向に素子形成領域の１．５間隔分ずれるように配列され、
一画素は、前記第１色の素子形成領域、前記第２色の素子形成領域、及び前記第３色の素子形成領域のから選ばれた前記第１色の同色領域、前記第２色の同色領域、及び前記第３色の同色領域を有する
ことを特徴とする発光装置。
【請求項１１】
請求項１及び１０のいずれか一において、
前記一画素は、Ｔ字状に配列された前記第１色の同色領域、前記第２色の同色領域、及び前記第３色の同色領域を有する
ことを特徴とする発光装置。
【請求項１２】
請求項１、１０及び１１のいずれか一において、
前記一画素は、第１色の同色領域に対して、行方向に第２色の同色領域及び第３色の同色領域が配列し、且つ第２色の同色領域及び第３色の同色領域は、第１色の同色領域に対して列方向に該同色領域の０．５間隔分ずれるようにＴ字状に配列されている
ことを特徴とする発光装置。
【請求項１３】
請求項１、１０、１１及び１２のいずれか一において、
前記一画素は、第１色の同色領域、第２色の同色領域、及び第３色の同色領域のいずれかを頂点とした三角形状に配列されている
ことを特徴とする発光装置。
【請求項１４】
斜めに配列された同色領域を有する素子形成領域と、
前記素子形成領域を３以上の一画素で共有し、
前記一画素は異なる素子形成領域から選ばれた前記第１色の同色領域、前記第２色の同色領域、及び前記第３色の同色領域を有する発光装置の作製方法であって、
隣接する前記同色領域間及び隣接する前記素子形成領域間に絶縁膜を形成することを特徴とする発光装置の作製方法。
【請求項１５】
斜めに配列された同色領域を有する素子形成領域と、
前記素子形成領域を３以上の一画素で共有し、
前記一画素は異なる素子形成領域から選ばれた前記第１色の同色領域、前記第２色の同色領域、及び前記第３色の同色領域を有する発光装置の作製方法であって、
隣接する前記同色領域間に設けられた第１の絶縁膜の幅は、
隣接する前記素子形成領域間に設けられた第２の絶縁膜の幅より狭くなるように形成することを特徴とする発光装置の作製方法。
【請求項１６】
請求項１５において、
列方向に隣接する前記同色領域間に設けられた第１の絶縁膜の幅は、
隣接する前記素子形成領域間に設けられた第２の絶縁膜の幅より狭くなるように形成することを特徴とする発光装置の作製方法。
【請求項１７】
請求項１５又は１６において、
行方向に隣接する前記同色領域間に設けられた第１の絶縁膜の幅は、
隣接する前記素子形成領域間に設けられた第２の絶縁膜の幅より狭くなるように形成することを特徴とする発光装置の作製方法。
【請求項１８】
第１色の素子形成領域と、
前記第１色の素子形成領域に隣接し、同列に設けられた第２色の素子形成領域と、
前記第２色の素子形成領域に隣接し、同列に設けられた第３色の素子形成領域とを有し、
前記第１色の素子形成領域、前記第２色の素子形成領域、及び前記第３色の素子形成領域を一画素で共有するように、前記素子形成領域を斜めに形成し、
一画素を、前記第１色の素子形成領域、前記第２色の素子形成領域、及び前記第３色の素子形成領域のから選ばれた前記第１色の同色領域、前記第２色の同色領域、及び前記第３色の同色領域を配列するように形成する
ことを特徴とする発光装置の作製方法。
【請求項１９】
第１色の素子形成領域と、
前記第１色の素子形成領域に隣接し、同列に設けられた第２色の素子形成領域と、
前記第２色の素子形成領域に隣接し、同列に設けられた第３色の素子形成領域とを有し、
前記第１色の素子形成領域、前記第２色の素子形成領域、及び前記第３色の素子形成領域は行方向に素子形成領域の１間隔分ずれ、且つ前記第１色の素子形成領域、前記第２色の素子形成領域、及び前記第３色の素子形成領域を一画素で共有するように、前記素子形成領域を斜めに形成し、
一画素を、前記第１色の素子形成領域、前記第２色の素子形成領域、及び前記第３色の素子形成領域のから選ばれた前記第１色の同色領域、前記第２色の同色領域、及び前記第３色の同色領域を配列するように形成する
ことを特徴とする発光装置の作製方法。
【請求項２０】
第１色の素子形成領域と、
前記第１色の素子形成領域に隣接し、同行に設けられた第２色の素子形成領域と、
前記第２色の素子形成領域に隣接し、同行に設けられた第３色の素子形成領域とを有し、
前記第１色の素子形成領域、前記第２色の素子形成領域、及び前記第３色の素子形成領域は列方向に素子形成領域の１．５間隔分ずれるように形成し、
一画素を、前記第１色の素子形成領域、前記第２色の素子形成領域、及び前記第３色の素子形成領域のから選ばれた前記第１色の同色領域、前記第２色の同色領域、及び前記第３色の同色領域を配列するように形成する
ことを特徴とする発光装置の作製方法。